(57)【要約】本発明は一般に、筆記用媒体の明確な排出能力を示し、好ましくは筆記用媒体が容易にユーザに視認できるようにする筆記用媒体リザーバに関する。本発明は又、筆記用媒体の明確な排出能力を示し、好ましくは筆記用媒体が容易にユーザに視認できるようにする筆記用媒体リザーバの製造方法に関する。この方法は、上側層及び外側層を同時押出し成形することにより筆記用媒体リザーバを形成する工程を含むのがよい。加うるに、本発明は、液体の明確な排出能力を示し、液体が相対的な存否が容易にユーザに視認できるようにする筆記用媒体リザーバに多層管状構造体に関する。
2006519718.tif 000002
【特許請求の範囲】
【請求項１】
筆記具カートリッジであって、
第１のポリマー材料を含む内側層を有し、この第１のポリマー材料は、筆記用媒体に対し十分な抗濡れ性を備え、前記第１のポリマー材料が前記筆記用媒体の実質的に明確な排出能力を示すようになっており、
第２のポリマー材料を含む外側層と、
筆記用媒体リザーバの一端部に結合された筆記用先端部とを有し、
前記内側層材料及び前記外側層材料は半透明性を有し、組み合わされると、前記筆記用媒体リザーバは、ユーザが前記筆記用媒体リザーバ内の前記筆記用媒体のレベルを外部から目で見て観察できるようにするのに十分な半透明性を示し、
前記内側層材料及び前記外側層材料は、前記ユーザによる前記筆記用媒体リザーバの通常の取扱い及び通常の用い方が前記半透明性、前記実質的に明確な排出能力及び前記筆記用媒体リザーバの別の通常の機能のうちの１つ又は２つ以上に実質的に影響を及ぼさないように、十分に適合性がある、
筆記具カートリッジ。
【請求項２】
筆記具であって、
第１のポリマー材料を含む内側層を有し、この第１のポリマー材料は、筆記用媒体に対し十分な抗濡れ性を備え、前記第１のポリマー材料が流体の実質的に明確な排出能力を示すようになっており、
第２のポリマー材料を含む外側層を有し、
管状構造体の一端部に結合された筆記用先端部を有し、
軸を有し、この軸の少なくとも一部は、ユーザが前記管状構造体内に入っている流体のレベルを外部から目で見て観察できるようにするのに十分なほど半透明であり、
前記内側層材料及び前記外側層材料は半透明性を有し、組み合わされると、前記管状構造体は、ユーザが前記管状構造体内の前記流体のレベルを外部から目で見て観察できるようにするのに十分な半透明性を示すようになっており、
前記内側層材料及び前記外側層材料は、前記ユーザによる前記管状構造体の通常の取扱い及び通常の用い方が前記半透明性、前記実質的に明確な排出能力及び前記管状構造体の別の通常の機能のうちの１つ又は２つ以上に実質的に影響を及ぼさないように、十分に適合性がある、
筆記具。
【請求項３】
前記筆記用媒体リザーバの前記内側層材料は、本質的に実質的に弗素化された繰返し単位を含むポリマー又はコポリマーを含む、請求項２記載の筆記具。
【請求項４】
前記内側層材料は、弗素化エチレン−プロピレン及び又はペルフルオロアルコキシポリマーを含む、請求項２記載の筆記具。
【請求項５】
前記内側層材料の厚さは、少なくとも約１０ミクロンである、請求項２記載の筆記具。
【請求項６】
前記軸及び前記筆記用媒体リザーバは、組み合わされると、ＡＳＴＭ  Ｄ１００３によれば少なくとも約８０％の光学的光透過率を示す、請求項２記載の筆記具。
【請求項７】
筆記用媒体の表面張力と前記筆記用媒体リザーバの前記内側層材料の筆記用媒体との接触面の表面エネルギの差は、少なくとも約５ｍＮ／ｍである、請求項２記載の筆記具。
【請求項８】
管状構造体であって、
第１のポリマー材料を含む内側層を有し、この第１のポリマー材料は、流体に対し十分な抗濡れ性を備え、前記第１のポリマー材料は、流体の実質的に明確な排出能力を示すようになっており、
第２のポリマー材料を含む外側層を有し、
前記内側層材料及び前記外側層材料は半透明性を有し、組み合わされると、前記管状構造体は、ユーザが前記管状構造体内の前記流体のレベルを外部から目で見て観察できるようにするのに十分な半透明性を示すようになっており、
前記内側層材料及び前記外側層材料は、前記ユーザによる前記管状構造体の通常の取扱い及び通常の用い方が前記半透明性、前記実質的に明確な排出能力及び前記管状構造体の別の通常の機能のうちの１つ又は2つ以上に実質的に影響を及ぼさないように、十分に適合性がある、
管状構造体。
【請求項９】
前記内側層材料と前記外側層材料は、互いに異なる、請求項８記載の管状構造体。
【請求項１０】
前記内側層材料は、シロキサン基を含むホモポリマー又はコポリマー、少なくとも部分的に弗素化された繰返し単位を含むホモポリマー又はコポリマー及びこれらの組合せを含む群から選択される、請求項８記載の管状構造体。
【請求項１１】
前記筆記用媒体リザーバの前記内側層材料は、本質的に実質的に弗素化された繰返し単位を含むポリマー又はコポリマーを含む、請求項１０記載の筆記具。
【請求項１２】
前記内側層材料は、弗素化エチレン−プロピレン、ペルフルオロアルコキシポリマー又はこれら両方を含む、請求項１１記載の管状構造体。
【請求項１３】
前記内側層材料の厚さは、少なくとも約１０ミクロンである、請求項８記載の管状構造体。
【請求項１４】
前記内側層材料の厚さは、約３ｍｍ以下である、請求項８記載の管状構造体。
【請求項１５】
前記内側層材料は、前記管状構造体の使用中、実質的に不撓性である、請求項８記載の管状構造体。
【請求項１６】
ＡＳＴＭ  Ｄ１００３によれば少なくとも約８０％の光学的光透過率を示す、請求項８記載の管状構造体。
【請求項１７】
流体の表面張力と前記内側層材料の流体接触面の表面エネルギの差は、少なくとも約５ｍＮ／ｍである、請求項８記載の管状構造体。
【請求項１８】
前記外側層材料は、少なくとも約１４００ｐｓｉの引張弾性率、少なくとも約１０5ｐｓｉの曲げ弾性率、少なくとも約２０００ｐｓｉの引張強度、約１００％以下の伸び率パーセントのうちの１つ又は２つ以上を示す、請求項８記載の管状構造体。
【請求項１９】
内側層及び外側層を有する実質的に明確な排出能力を示す管状構造体の製造方法であって、
第１のポリマー材料を含む内側層材料を選択することを含み、前記第１のポリマー材料が選択された流体に対し十分な抗濡れ性を備え、前記第１のポリマー材料が流体の実質的に明確な排出能力を示すようになっており、
第２のポリマー材料を含む外側層材料を選択し、
前記内側層及び前記外側層を有する多層管状構造体を形成することを含み、
前記管状構造体は、ユーザが前記管状構造体内の前記流体のレベルを外部から目で見て観察できるようにするのに十分な半透明性を示すようになっており、
前記内側層材料及び前記外側層材料は、前記ユーザによる前記管状構造体の通常の取扱い及び通常の用い方が前記透明性、前記実質的に明確な排出能力及び又は前記管状構造体の別の通常の機能のうちの１つ又は2つ以上に実質的に影響を及ぼさないように、十分に適合性がある、
方法。
【請求項２０】
前記内側層材料は、ポリシロキサンホモポリマー又はコポリマー、少なくとも部分的に弗素化された繰返し単位を有するポリマー又はコポリマー、又はこれら両方を含む、請求項１９記載の方法。
【請求項２１】
前記管状構造体の使用中実質的に不撓性であるように前記内側層材料を選択して形成することを含む、請求項１９記載の方法。
【請求項２２】
前記内側層材料及び前記外側層材料を同時押出し成形することを含む、請求項１９記載の方法。
【請求項２３】
前記多層管状構造体を形成する前記工程は、前記内側層材料及び前記外側層材料を同時押出し成形することを含む、請求項１９記載の方法。
【請求項２４】
前記繰返し単位の少なくとも一部がシロキサン基、少なくとも部分的に弗素化された繰返し単位又はこれらの組合せを含むホモポリマー又はコポリマーを含む群から前記第２のポリマー材料を選択することを含む、請求項１９記載の方法。
【請求項２５】
実質的に明確な排出能力を示す管状構造体の製造方法であって、前記方法は、内側層材料及び外側層材料を有する多層管状構造体を同時押出し成形することを含み、
前記内側層材料は、ポリマー材料を含み、このポリマー材料は、選択された流体に対し十分な抗濡れ性を備え、第１のポリマー材料が、流体の実質的に明確な排出能力を示すようになっており、
前記外側層材料は、十分に半透明であり、前記内側層材料は、十分に薄く、同時押出し成形されると、前記管状構造体は、ユーザが前記管状構造体内の前記流体のレベルを外部から目で見て観察できるようにするのに十分な半透明性を示すようになっており、
前記内側層材料及び前記外側層材料は、前記ユーザによる前記管状構造体の通常の取扱い及び通常の用い方が前記半透明性、前記実質的に明確な排出能力及び前記管状構造体の別の通常の機能のうち１つ又は2つ以上に実質的に影響を及ぼさないように、十分に適合性がある、
方法。
【請求項２６】
前記内側層材料は、シロキサン基を含むホモポリマー又はコポリマー、少なくとも部分的に弗素化された繰返し単位を含むホモポリマー又はコポリマー及びこれらの組合せを含む群から選択される、請求項２５記載の方法。
【請求項２７】
前記内側層材料は、弗素化エチレン−プロピレン、ペルフルオロアルコキシポリマー又はこれら両方を含む、請求項２６記載の方法。
【請求項２８】
前記内側層材料の厚さは、約３ｍｍ以下である、請求項２５記載の方法。
【請求項２９】
選択された流体の表面張力と前記内側層材料の流体接触面の表面エネルギの差は、少なくとも約３ｍＮ／ｍである、請求項８記載の方法。
【請求項３０】
液体を収容し又は運ぶことができる多層管であって、
第１のポリマー材料を含む内側層を有し、この第１のポリマー材料は、液体に対し十分な抗濡れ性を備え、前記第１のポリマー材料は、液体の実質的に明確な排出能力を示すようになっており、前記第１のポリマー材料は、少なくとも部分的に弗素化された繰返し単位を有するポリマー又はコポリマーを含み、
前記内側層と同時押出し成形され、第２のポリマー材料を含む外側層を有し、
前記内側層材料及び前記外側層材料は、共に十分に半透明であり、液体を外部から目で見て観察することができるよう共に十分に半透明であり、
前記内側層材料及び前記外側層材料は、前記多層管の通常の取扱い及び通常の用い方が前記透明性又は半透明性、前記実質的に明確な排出能力又は前記多層管の他の通常の機能に影響を実質的に及ぼさないように、十分に適合性がある、
多層管。
【請求項３１】
前記内側層材料は、弗素化エチレン−プロピレン及び又はペルフルオロアルコキシポリマーを含む、請求項３０記載の多層管。
【請求項３２】
前記内側層材料の厚さは少なくとも約１０ミクロンである、請求項３０記載の多層管。
【請求項３３】
前記内側層材料の厚さは約３ｍｍ以下である、請求項３０記載の多層管。
【請求項３４】
前記内側層材料は、前記管の使用中、実質的に不撓性である、請求項３０記載の多層管。
【請求項３５】
ＡＳＴＭ  Ｄ１００３によれば少なくとも約８０％の光学的光透過率を示す、請求項３０記載の多層管。
【請求項３６】
液体の表面張力と前記内側層材料の液体接触面の表面エネルギの差は、少なくとも約５ｍＮ／ｍである、請求項３０記載の多層管。
【発明の詳細な説明】
【技術分野】
【０００１】
本発明は一般に、筆記用媒体リザーバであって、筆記用媒体がユーザに容易に視認でき、しかも有利には、リザーバを通って筆記用先端部に向かう筆記用媒体の実質的に明確な排出能力を示す筆記用媒体リザーバ及びこれを収容した筆記具に関する。本発明は又、かかる筆記用媒体リザーバ及びこれを収容した筆記具の製造方法に関する。加うるに、本発明は、多層管状構造体であって、この中に入っている筆記用媒体がユーザに容易に視認でき、しかも有利には、管状構造体を通る筆記用媒体の実質的に明確な排出能力を示す多層管状構造体及びこの製造方法に関する。
【背景技術】
【０００２】
筆記具は、筆記具の使用中に少なくなる選択された量の筆記用媒体、例えばインクの入った筆記用媒体リザーバ、例えばインク芯（インク管）を収容している。場合によっては、筆記用媒体は、リザーバの表面に付着した残留物を残す。かかる残留物の量を０にはできないとしても減少させて残留物として後に残る（かくして無駄になる）筆記用媒体をできるだけ少なくすることが望ましい。
【０００３】
加うるに、透明又は半透明の筆記用媒体リザーバを設けてこの中に入っている筆記用媒体を観察できるようにすることが望ましい場合が多い。また、残留物をできるだけ少なくしてリザーバに対する視認が実質的に遮られないようにすると共に（或いは）リザーバ内の筆記用媒体の量を容易に確認できるようにすることが望ましい。筆記用媒体リザーバ透明又は半透明の場合、ユーザはリザーバ内の筆記用媒体のレベルを見ることができる。
【０００４】
筆記用媒体レベルが変化しているときに筆記用媒体リザーバの内面上に付着残存する残留物が殆ど無く又は全く無ければ、筆記用媒体リザーバは、明確な排出能力（clear drain ）を示すと呼ばれている。理解できるように、明確な排出能力は、透明又は半透明の筆記用媒体リザーバにおいて望ましく、したがってユーザはリザーバ内に残っている筆記用媒体の量を正確に確認することができるようになる。
【０００５】
材料が液体（その粘度とは無関係に）、例えばこの場合筆記用媒体に対して明確な排出能力を示す場合、この材料は通常、その液体に対し抗濡れ性をも示し、このことは一般に、この材料が液体の表面エネルギよりも著しく低い表面エネルギを有していることを意味している。比較的軟質の材料と比較的液体状の材料との表面エネルギの差（例えば、より形式ばって言えば、筆記用媒体の表面張力とリザーバの内面を形成する材料の表面エネルギの差）は、液体が材料表面とではなくそれ自体と関連するのを好むということにより（例えば、表面上に広がることにより）明らかになる。一般的に言えば、必ずしも全てについて言えるわけではないが、所与の液体に対して抗濡れ性を示す材料は又、この材料内への又はこの材料中への所与の液体の拡散、収着又は透過に対する例えば所与の液体の蒸発に対する有効な遮断性（バリヤ性）をも示す。筆記用媒体リザーバ内の抗濡れ性材料の有効遮断性は、リザーバを通る液体の拡散又は透過による蒸発を阻止し、制御し又は禁止する（以下、「制御」というが、不当に発明を制限するものではない）ために筆記用媒体が比較的揮発性の高い基剤としての液体（例えば、水、アセトン、ブチルアセテート等）を含む場合に特に望ましい。
【発明の開示】
【発明が解決しようとする課題】
【０００６】
先行技術においては、抗濡れ性又は明確な排出能力を或る程度示す筆記用媒体リザーバに用いられる材料の例が存在するが、これら材料のうち、透明又は半透明の材料であると開示されているものはない。透明又は半透明の材料は筆記用媒体リザーバに用いられるものとして別個独立に開示されているが、透明又は半透明部品の状態に容易に作製できる種類の材料は、一般に、典型的な筆記用媒体に対して抗濡れ性又は明確な排出能力を示すものと同一種類の材料ではない。透明性／半透明性の材料特性と明確な排出能力は正反対のことではないが、先行技術は、これらの特性を筆記用媒体リザーバに首尾よく組み合わせてはいない。
【０００７】
事実、主張によれば透明又は半透明の性質を持つ薄いシートとして通常不透明な部分として製作される表面エネルギの比較的低いポリマー弗素化炭化水素材料が作られたのは比較的最近のことであるに過ぎない。さらに、この薄いシートに透明又は半透明性を達成するには作製パラメータに対して相当多大な労力及び注意深い関心が必要であった。かかる透明な材料は、管の形状に作製することは示唆されておらず、筆記具の筆記用媒体リザーバとして有用な形状に作製することは全くもって示唆されていない。
【課題を解決するための手段】
【０００８】
本発明の一特徴は、流体、例えば筆記用媒体に対して抗濡れ性を示す（例えば、少なくとも部分的に明確な排出能力を示す）管状構造体、例えば筆記用媒体リザーバに関する。本発明の原理に従って形成された例示の筆記用媒体リザーバは、筆記具に使用でき、かかる筆記具としては、ボールペン、極細ボールペン、フリーインクペン、ゲル状インクを用いるペン、ペン先が引込み式のペン等が挙げられるがこれらには限定されない。
【０００９】
明確な排出能力は、透明又は半透明の筆記用媒体リザーバにおいて特に有用であり、ユーザはこのリザーバ内の筆記用媒体のレベルを正確に観察することができる。しかしながら、筆記用媒体リザーバが透明又は半透明でなくても、筆記用媒体リザーバの抗濡れ性は、筆記用媒体の無駄を減少させる上で有利である。
【００１０】
抗濡れ性は、流体の表面張力と管状構造体の内面を形成する材料の表面エネルギの差を求めることにより測定できる。流体の表面張力が管状構造体の内面を形成する材料の表面エネルギに等しく又はこれよりも小さい場合（即ち、差が負数（マイナスの数）の場合）、流体による管状構造の内面材料の湿潤が通常生じることになる。流体の表面張力が管状構造体の内面を形成する材料の表面エネルギよりも僅かに大きい場合であっても（即ち、これらの量の差が比較的小さな正数（＋の数）である場合）、依然として流体による管状材料の内面の十分な湿潤が生じ、したがって実質的に明確な排出能力が示されないようになる。流体の表面張力が管状構造体の内面を形成する材料の平面エネルギよりも僅かに大きい場合（即ち、これらの量の間の差が比較的小さな正数よりも大きい場合）、管状構造体の内面は一般に、実質的に流体の明確な排出能力を示すのに十分な抗濡れ性を有する。しかしながら、流体の表面張力が管状構造体の内面を形成する材料の表面エネルギよりも相当高い或る選択された場合（即ち、これらの量の差が比較的大きな正数である場合）、その流体は、管状構造体の内面からの実質的に明確な排出能力を示さないで、それ自体との非常に強力な分子相互作用関係をなすと共に管状構造体の内面材料に対し非常に高い非濡れ性を示すので管状構造体の内面材料上にビード（じゅず）状になり、かくして実質的に明確な排出特性を示さないようになる。
【００１１】
本発明の別の特徴によれば、筆記用媒体リザーバを有利には透明又は半透明である材料で作るのがよく、又はかかる材料を含むのがよい（以下、単純化のために「半透明」と呼ぶが、本発明を限定する意図はない）。かかる透明性又は半透明性（以下、単純化のために「半透明性」というが、本発明を限定する意図はない）は、抗濡れ性を備えた上述の管状構造体に関し有利な場合がある。ただし、これら両方の特徴の組合せは必要ではない。
【００１２】
しかしながら、半透明であるだけでなく明確な排出能力を示す管状構造体、例えば流体リザーバ又は導管を構成することは、特に有利である。本発明の原理によれば、任意所望の材料で作られた半透明であり、好ましくは光学的に透明な筆記用媒体リザーバは、半透明であると共に好ましくは光学的に透明な比較的表面エネルギの低いポリマー又はコポリマーの内側層を備えるのがよく、その結果、筆記用媒体リザーバに、この中の筆記用媒体の外部からの観察を可能にする明確な排出能力が得られる。このように、筆記用媒体リザーバを形成するのに多様な材料を用いることができ、比較的表面エネルギの低いポリマーを僅かな量しか必要としない。
【発明を実施するための最良の形態】
【００１３】
本発明の一特徴は、流体を収容でき又は運ぶことができる半透明の管状構造体、例えばリザーバ又は導管に関する。本発明の原理の特に恩恵を受ける管状構造体は、便宜上且つ例示の説明のために、以下に詳細に説明する筆記用媒体リザーバである。かくして、筆記用媒体について便宜上本明細書において言及すると共に筆記用媒体リザーバ以外のリザーバ及び管状構造体を筆記用媒体以外の流体（ただし、本発明を限定するものではなく）に用いることができることは理解されよう。本発明の別の特徴は、本発明の原理に従って形成された筆記用媒体リザーバを有する筆記具に関する。本発明の原理を利用できる筆記具の種類の例としては、ボールペン、極細ボールペン、フリーインクペン、フェルトチップペン、マーカ、蛍光ペン等が挙げられるが、これらには限定されない。一実施形態では、筆記具は、インクジェットプリンタを含まない場合がある。別の実施形態では、筆記具は、手持ち型筆記具である。別の実施形態では、筆記具は、指操作可能である（即ち、人の指で操作できるような大きさ、形状、寸法形状、構成及び重さに設定されている）。また、筆記用媒体リザーバは、この中に入れられる筆記用媒体の性状とは無関係に且つ特定の筆記用媒体又はかかる筆記用媒体が収容される要素に不当に限定されることなく本明細書において説明されることは理解されよう。
【００１４】
筆記用媒体リザーバは好ましくは、ユーザが筆記用媒体リザーバ内の筆記用媒体のレベルを外部から目で観察できるのに十分半透明である。筆記用媒体のレベルのこの外部からの目視観察は、筆記用媒体リザーバの全長にわたり又は筆記用媒体リザーバの一部のみにわたり望ましい場合がある。したがって、外部からの目視観察が望ましい筆記用媒体リザーバの少なくとも一部は好ましくは、半透明である。一実施形態では、外部からの目視観察が望ましい筆記用媒体リザーバの部分だけが半透明であってもよい。別の実施形態では、外部からの目視観察が望ましい筆記用媒体リザーバの部分に加えてそれ以外の部分も半透明であってもよい。
【００１５】
理想的には、筆記用媒体リザーバは、この中に入っている筆記用媒体の視覚化において最も高い明確性をもたらし、かくして筆記用媒体の性質、色又はこれとのコントラストとは無関係に本質的に透明である材料又は材料の組合せから作られる。しかしながら、筆記用媒体リザーバは、一般のユーザが通常の条件下において筆記用媒体リザーバの外部から筆記用媒体リザーバ内の筆記用媒体のレベルを目で見て観察できるような半透明性を有することができれば十分である。
【００１６】
本発明の別の特徴は、筆記用媒体に関して実質的に排出能力を示す筆記用媒体リザーバに関する。本明細書で用いる「実質的に」という用語は、約９５％以上、好ましくは約９８％以上、より好ましくは約９９％以上、最も好ましくは約９９．５％以上を意味している。したがって、本明細書で用いられる「実質的に〜が無い」、「実質的に〜が存在しない」、「実質的に〜ではない」という表現は、約５％以下、好ましくは約２％以下、より好ましくは約１％以下、最も好ましくは約０．５％以下を意味している。該当する場合には、本明細書において表現される全ての百分率は、もし特段の指定がなければ重量％であると理解されるべきである。
【００１７】
本発明のこれら２つの特徴は、相補的であり、かくして同一の筆記用媒体リザーバ内に互いに組み合わされると特に有利であることは理解されよう。また理解されるように、本発明は代表的には、筆記器具本体又は軸（以下、単純化のために「軸」と称するが、本発明を限定する意図はない）。かくして、本発明は又、本発明の原理に従って形成された筆記用媒体リザーバを備えた筆記具に関する。以下に説明するように、筆記用媒体リザーバは、透明な又は少なくとも半透明な筆記具軸に特に有用である。
【００１８】
筆記用媒体リザーバ（又は、筆記具の任意他の部分）の半透明性は有利には、材料の透過率で、例えばＡＳＴＭ  Ｄ１３００に従って測定できるので有利である。好ましくはこの実施形態では、筆記用媒体リザーバ（及び任意的に筆記用媒体リザーバを覆って設けられた任意の筆記具コンポーネントと共に又は個別的に）は、ＡＳＴＭ  Ｄ１３００試験に基づいて、少なくとも約６０％の透過率、より好ましくは少なくとも約８０％の透過率、最も好ましくは少なくとも９０％の透過率を示す。
【００１９】
本発明は一般に、筆記用媒体を繊維塊中ではなく自由状態で保持する筆記用媒体リザーバに関する。一実施形態では、筆記用媒体は、自由状態で軸中に直接保持でき、この場合、バレルは、追加的に筆記用媒体リザーバとして機能することができる。変形例として、筆記用媒体をカートリッジ（例えば、ボールペン用インク、極細ボールペン用インク、ゲル又は他の種類の筆記用媒体用の芯）中に保持してもよく、軸をカートリッジに嵌め又はカートリッジを受け入れてもよい。自由インク型筆記具は一般に、筆記用媒体が筆記用媒体リザーバとして働く多孔質材料又は繊維材料内に保持される筆記具とは対照的に、特定の粘度の筆記用媒体が「自由状態」で収容されるリザーバを有する。筆記用媒体を筆記用媒体リザーバから筆記用基材上への筆記用媒体の塗布のために筆記用先端部に及び場合によってはこれを通って移送する（即ち、通常の使用）ためにコンポーネント又はコンポーネントの組立体を含むインク移送部材を設けるのがよい。
【００２０】
本発明の筆記器具内の筆記用媒体リザーバは、着脱自在なカートリッジの一部として設けられるのがよいが、そのようにするかどうかは任意である。この着脱自在なカートリッジは、筆記用媒体リザーバだけを有してもよく、或いは追加的に、筆記用媒体に接触することができる１以上の他の要素又はコンポーネント（例えば、筆記用先端部の要素及び任意的にもし存在すればインク貯蔵領域）を有してもよく、したがって筆記用媒体リザーバから筆記用先端部への筆記用媒体の所望の流路を構成する組をなす要素又はコンポーネント全体が交換可能なカートリッジ内に収容されるようになっている。筆記用媒体を収容したカートリッジが着脱自在であり、着脱自在なカートリッジのインクリザーバ部分が本体又は軸の相当な長さにわたって延びる場合、着脱自在なカートリッジは、インク芯と呼ばれる場合があるが、これは着脱自在なカートリッジの大きさ、形状、形態、寸法形状又は任意他の特徴を制限する意図はない。
【００２１】
筆記用媒体リザーバの明確な排出能力に関し、筆記用媒体リザーバの内面（即ち、筆記用媒体と接触する筆記用媒体リザーバの表面）は、リザーバ内に入っている筆記用媒体に関して十分な抗濡れ性を有するべきであり、したがって、筆記用媒体が用いられているとき、筆記用媒体が従来、使用前に筆記用媒体リザーバの内面に接触していた筆記用媒体リザーバの内面上に付着して残る筆記用媒体（例えば、被膜又は部分被膜として）実質的に存在しないようになり、即ち、筆記用媒体リザーバは、実質的に明確な排出能力を示す。当業者であれば、筆記用媒体リザーバの明確な排出能力は好ましくは、経時的に実質的に変化しないことは理解されるべきである。
【００２２】
材料の抗濡れ性及び（又は）特定の筆記用媒体に関して明確な排出能力を示す材料の傾向は、例えば、筆記用媒体の表面張力とリザーバの内面を形成する材料の表面エネルギの差を評価することにより測定できる。一実施形態では、筆記用媒体の表面張力と筆記用媒体リザーバの内面を形成する材料の表面エネルギの差は、正数である。別の実施形態では、筆記用媒体の表面張力と筆記用媒体リザーバの内面を形成する材料の表面エネルギの差は、内面を形成する材料に付着残存する筆記用媒体残留物が実質的に生じないようなものである。さらに別の実施形態では、筆記用媒体の表面張力と筆記用媒体リザーバの内面を形成する材料の表面エネルギの差は、少なくともほぼ臨界表面エネルギ差である。本明細書で用いる「臨界表面エネルギ差」、即ちＣＳＥＤは、筆記用媒体の表面張力と、実質的に明確な排出能力が示されるリザーバの内面を形成する材料の表面エネルギの差の最も低い値を表している。さらに別の実施形態では、筆記用媒体の表面張力と筆記用媒体リザーバの内面を形成する材料の表面エネルギの差は、筆記用媒体が少なくとも部分的に、筆記用媒体リザーバの内面の材料を覆い又はこの上にビード（じゅず）状になる傾向があり、例えば、リザーバの内面材料が実質的に明確な排出能力を示さないほど大きくはなく又は大きな正数ではない。
【００２３】
別の実施形態では、筆記用媒体の表面張力と筆記用媒体リザーバの内面を形成する材料の表面エネルギの差は、少なくとも約３ダイン／ｃｍ（即ち、３ｍＮ／ｍ）である。好ましい実施形態では、筆記用媒体の表面張力と筆記用媒体リザーバの内面を形成する材料の表面エネルギの差は、少なくとも約５ダイン／ｃｍ（即ち、５ｍＮ／ｍ）である。別の好ましい実施形態では、筆記用媒体の表面張力と筆記用媒体リザーバの内面を形成する材料の表面エネルギの差は、少なくとも約７ダイン／ｃｍ（即ち、７ｍＮ／ｍ）である。別の好ましい実施形態では、筆記用媒体の表面張力と筆記用媒体リザーバの内面を形成する材料の表面エネルギの差は、少なくとも約１０ダイン／ｃｍ（即ち、１０ｍＮ／ｍ）である。別の実施形態では、筆記用媒体の表面張力と筆記用媒体リザーバの内面を形成する材料の表面エネルギの差は、約５０ダイン／ｃｍ（即ち、５０ｍＮ／ｍ）以下であり、変形例として約３５ダイン／ｃｍ（即ち、３５ｍＮ／ｍ）以下、変形例として約２５ダイン／ｃｍ（即ち、２５ｍＮ／ｍ）以下である。
【００２４】
筆記用媒体に接触するのが、典型的には筆記用媒体リザーバの厚さ全体ではなく、代表的には筆記用媒体リザーバの内部のまさしく表面だけなので、本発明の筆記用媒体リザーバは、筆記用媒体に対し種々の特性、例えば抗濡れ性、及び任意的に耐透過／拡散／収着性をもたらし、有利には半透明であるのがよい内側層材料（例えば、筆記用媒体リザーバの内面を構成する）及び内側層材料を覆って設けられていて、これまた半透明であるのが有利な材料の少なくとも１つの他方の層、例えば外側層材料を有することが望ましい場合がある。筆記用媒体リザーバの少なくとも一部が半透明であることが望ましい場合、内側層材料及び外側層材料の半透明性は好ましくは、本発明の筆記用媒体リザーバ内に組み合わされると、結果的に得られるリザーバが、ユーザがリザーバ内の筆記用媒体のレベルをリザーバの外部から目で見て観察できるほどの半透明性を示すようなものであることが必要である。
【００２５】
本発明の原理に従って形成される筆記用媒体リザーバに互いに異なる材料層を用いることが望ましい場合がある。その目的は、別々の材料を各々の望ましい物理的性質、化学的性質及び（又は）機械的性質の組合せ（好ましくは、相乗効果的な組合せ）を得ることにある。例えば、２つの互いに異なる材料層、即ち内側層及び外側層が筆記用媒体リザーバに用いられる場合、内側層の望ましい特性としては、筆記用媒体に対する抗濡れ性、筆記用媒体に対する実質的に明確な排出能力、筆記用媒体の拡散、透過又は収着に対するバリヤ又は抑制作用、化学的不活性さ、化学的安定性、機械的安定性、可撓性、透明性及び（又は）半透明性、外側層材料との化学的及び（又は）機械的適合性等、或いはこれらの任意の組合せが挙げられるが、これらには限定されない。同一の例においては、外側層材料にとって望ましい特性としては、筆記用媒体の拡散、透過又は収着に対するバリヤ又は抑制作用、化学的不活性さ、化学的安定性、機械的安定性、剛性（例えば、少なくとも、筆記用媒体リザーバの重さ及び任意的に部品、例えばペン先、フロントノーズコーン、ペン先支持体、引っ込み自在な筆記用先端部等と関連していて、筆記用媒体リザーバと一体であり又はこれに取り付けられた要素の重量を独立して支持するに足る剛性であって、外側層材料がせいぜい弾性変形を生じるが塑性変形を生じないようになっており、又は好ましくは外側層材料がそれほど大きな機械的撓みを生じないようになっている）、透明性及び（又は）半透明性、内側層材料との化学的及び（又は）機械的適合性等、又はこれらの任意の組合せが挙げられるが、これらには限定されない。
【００２６】
筆記用媒体リザーバが筆記具（及び場合によっては、別のタイプの筆記用媒体リザーバを含む）に用いられる場合、軸並びに筆記用媒体リザーバの全体又は一部を覆って設けることができる筆記具の任意の要素又は部品、或いは少なくとも軸及び（又は）他の筆記具部品のうちで、筆記用媒体リザーバを覆って設けられる部分は、半透明であるのがよい。上述したように、筆記用媒体リザーバを覆って設けられる筆記具の部分の半透明性は好ましくは、ユーザが筆記用媒体リザーバ中の筆記用媒体のレベルを外部から目で見て観察できるようなものであることが必要である。筆記用媒体のレベルのこの外部からの目視観察は、筆記用媒体リザーバを覆って設けられる軸及び（又は）他の部品の長さ全体にわたり、筆記用媒体リザーバを覆って設けられ、筆記用媒体リザーバ全体にわたって延びる軸及び（又は）他の部品の部分のみにわたり、或いは筆記用媒体リザーバを覆って設けられ、筆記用媒体リザーバ全体にわたって延びる軸及び（又は）他の部品の部分のセグメントのみについて望ましい場合がある。したがって、少なくとも、外部からの目視観察が望ましい筆記用媒体リザーバを覆って設けられる軸及び（又は）他の部品の部分は、半透明であるのがよい。しかしながら、ユーザは、筆記用媒体リザーバを露出させるために、筆記用媒体リザーバが装着されている非透明、非半透明の軸（及び（又は）任意他の非透明、非半透明部品）を取り外すことにより、筆記用媒体リザーバ内の筆記用媒体のレベルを目で見て観察することができる。一実施形態では、外部からの目視観察が望ましい筆記用媒体リザーバを覆って設けられる軸及び（又は）他の部品の一部だけが半透明であってもよい。別の実施形態では、外部からの目視観察が望ましい筆記用媒体リザーバを覆って設けられる軸及び（又は）他の部品の単なる部分以外の部分も又半透明であるのがよい。別の実施形態では、外部からの目視観察が望ましい筆記用媒体リザーバを覆って設けられる軸及び（又は）他の部品は、非透明であると共に非半透明であってもよい。
【００２７】
適当な内側層材料は、これらが接触する筆記用媒体に基づいて様々であってよい。例示の内側層材料としては、少なくとも部分的にハロゲン化されたポリマー繰返し単位を含むポリマーとを含むポリマー又はコポリマー、実質的にハロゲン化されたモノマー繰返し単位を含むポリマー又はコポリマー、ポリシロキサンホモポリマー又はコポリマー、オレフィンホモポリマー又はコポリマー、ビニルポリマー又はコポリマー、アミド基を含むホモポリマー又はコポリマー、或いはこれらの任意の組合せが挙げられるが、これらには限定されない。
【００２８】
好ましい一実施形態では、内側層材料としては、少なくとも部分的にハロゲン化されたモノマー繰返し単位を含むポリマー又はコポリマー、好ましくは実質的にハロゲン化されたモノマー繰返し単位を含むポリマー又はコポリマーが挙げられる。別の好ましい実施形態では、ハロゲンは、弗素であり、即ち、内側層材料としては、少なくとも部分的に弗素化されたモノマー繰返し単位を含むポリマー又はコポリマー、好ましくは実質的に弗素化されたモノマー繰返し単位を含むポリマー又はコポリマーが挙げられる。より好ましくは、内側層材料としては、少なくとも部分的に弗素化されたモノマー繰返し単位を含むポリマー又はコポリマー、最も好ましくは実質的に弗素化されたモノマー繰返し単位を含むポリマー又はコポリマーが挙げられる。これら実施形態のいずれにおいても、実質的に弗素化されたモノマー繰返し単位としては、テトラフルオロエチレン、ヘキサフルオロプロピレン、過弗素化アクリレート、ペルフルオロジオキソル、ペルフルオロアルコキシモノマー繰返し単位等並びにこれらの組合せ及びコポリマーが挙げられるが、これらには限定されない。本質的に実質的に弗素化されたモノマー繰返し単位を含むポリマー又はコポリマーの例としては、例えばデラウェア州ウィルミントン所在のデュポン・ケミカルから商標名TEFLON FEPで、アラバマ州デカーター所在のダイキン・アメリカから商標名NEOFLON FEPで、テキサス州ヘキスト・セラニーズから商標名HOSTAFLON FEPでそれぞれ市販されている弗素化エチレン−プロピレン、例えばデラウェア州ウィルミントン所在のデュポン・ケミカルから商標名TEFLON PFAで、アラバマ州デカーター所在のダイキン・アメリカから商標名NEOFLONで、テキサス州所在のヘキスト・セラニーズからの商標名HOSTAFLONで、ペルフルオロアルキシフルオロカーボン樹脂及びニュージャー州ソロフェアー所在のオーシモント・ＵＳＡ・インコーポレイテッドから商標名HYFLONでそれぞれ市販されているペルフルオロアルコキシフルオロカーボン樹脂が挙げられるが、これらには限定されない。例えば、本質的に少なくとも部分的に弗素化モノマー繰返し単位を含むコポリマーとしては、非弗素化モノマー繰返し単位を含む実質的に弗素化されたモノマー繰返し単位のコポリマー例えば、アルファ−オレフィン、（例えばエチレン、プロピレン等又はこれらの組合せ）が挙げられるが、これらには限定されない。
【００２９】
例示の外側層材料としては、セルロースポリマー、ポリケトン、ポリエステル又はポリエステルグリコール（例えば、ポリ（エチレンテレフタレート）及び（又は）ＰＥＴＧ）、ポリ（塩化ビニル）、スチレン含有コポリマー（例えば、ＳＢＳトリブロックコポリマー、ＳＢジブロック又はマルチブロックコポリマー、スチレン−アクリロニトリルコポリマー、例えばＡＢＳ等及びこれらの組合せ）、アクリレート基を含むポリマー、ポリ（ビニルアセテート）、ポリカーボネート、ポリアミド（例えば、透明ナイロン、例えば独国フランクフルト所在のデグッサＡＧから商標名TROGAMID CXで市販されている透明ナイロン）、ポリオレフィン（例えば、ポリエチレン、例えばHDPE、LDPE、LLDPE、UHMWPE等、ポリプロピレン等及びこれらの組合せ）、部分的にハロゲン化されたモノマー繰返し単位を含むポリマー又はコポリマー、実質的にハロゲン化されたポリマー繰返し単位を含むポリマー又はコポリマー並びにこれらの混合物、配合物又はコポリマーが挙げられるが、これらには限定されない。
【００３０】
例えば、本発明のセルロースポリマーとしては、天然又は合成セルロース、綿、再生セルロース（例えば、レーヨン、セロファン等）、セルロースアセテート、セルロースプロピオネート、セルロースブチレート、セルロースアセテート−プロピオネート、セルロースアセテート−ブチレート、セルロースプロピオネート−ブチレート、セルロースニトレート、メチルセルロース、エチルセルロース、カルボキシメチルセルロース、カルボキシエチルセルロース、セルロース塩及びこれらの組合せ又はコポリマーが挙げられるが、これらには限定されない。本発明のセルロースポリマーは、天然に抽出されたもの、合成されたもの又は何らかの仕方で改質され又は処理されたもの、例えば部分的に又は完全にエステール化されたもの、部分的又は完全にニトロ化されたもの、部分的又は完全に再生されたもの、部分的又は完全にエーテル化されたもの、部分的又は完全に酸性化されたもの、部分的又は完全に酸中和されたもの等又はこれらの組合せとして存在するのがよい。
【００３１】
筆記用媒体リザーバの内側層及び外側層に用いられる材料の化学的及び物理的性質に応じて、内側層材料と外側層材料との間の適合性に関する問題が存在する場合がある。一実施形態では、内側層材料及び外側層材料は、互いに十分に適合性があると共に（或いは）これらは好ましくは互いに実質的に固定され、任意的にこれら層相互間のインタフェースのところで互いにくっ付けられるような仕方又は方法で形成される。例えば、この適合性は、性質上化学的又は機械的であるのがよく、好ましくは、必要な適合性のレベルは、ユーザによる筆記用媒体リザーバ又はこの筆記用媒体リザーバを収容した筆記具の通常の取扱い及び通常の用い方が筆記用媒体リザーバの半透明性、実質的に明確な排出能力及び（又は）それ以上の通常の機能に実質的に悪影響を及ぼさないようなものであることが必要であるに過ぎない。
【００３２】
内側層材料と外側層材料の適合性が不十分であれば、例えばこれら層のインタフェースのところで離層が生じる場合がある。離層それ自体は必ずしも問題ではない。しかしながら、離層が生じる可能性がある場合、離層が、筆記用媒体リザーバを長期にわたって十分に半透明でないようにするような程度まで不透明度（半透明性が望ましい）に相当な変化を生じさせないことが好ましい。さらに、離層が生じる可能性がある場合、離層が、筆記用媒体リザーバから出入りする筆記用媒体の流れを著しく減少させ又は示された明確な排出能力のレベルを著しく減少させる（筆記用媒体に対する明確な排出能力があることが望ましい場合）ような程度まで筆記用媒体リザーバに著しい構造的変化を生じさせないことが好ましい。
【００３３】
筆記用媒体リザーバの内側層材料と外側層材料の十分な適合性を確立するためには、一般にかかる適合性が本発明によれば不十分である場合、中間層、例えば適合化層を内側層と外側層との間に挿入するのがよい。例えば、中間層としては、材料の追加の層が挙げられ、この材料としては、接着剤、内側及び外側層材料の各々中に存在する少なくとも１つのモノマー繰返し単位を含むコポリマー、内側層材料と外側層材料を互いに十分に適合性があるようにするために内側及び外側層材料の各々中に存在する少なくとも１つのモノマー繰返し単位に十分に化学的に類似した少なくとも１つのモノマー繰返し単位を含むコポリマー等又はこれらの組合せが挙げられる、これらには限定されない。半透明性が望ましい場合、中間層材料の半透明性は好ましくは、本発明の筆記用媒体リザーバの内側層材料及び外側層材料と組み合わされると、結果的に得られる筆記用媒体リザーバが、ユーザが筆記用媒体リザーバ内の筆記用媒体のレベルをリザーバの外部から目で見て観察できるほど十分な半透明性を示すようなものであるべきである。
【００３４】
一実施形態では、内側層材料と外側層材料を互いに十分に適合性があるようにするために内側及び外側層材料の各々中に存在する少なくとも１つのモノマー繰返し単位を含み又は内側及び外側層材料の各々中にそれぞれ存在する少なくとも１つのモノマー繰返し単位に十分化学的に類似した少なくとも１つのモノマー繰返し単位を含むポリマーの配合物である中間層を追加することにより外側層材料を内側層材料に適合させることができる。別の実施形態では、適合性を増大させるため、追加例として又は変形例として、上述したものに類似した材料の配合物を外側層材料中に設けてもよいが、好ましくは、配合物の少なくとも一成分材料が内側層材料との十分な適合性を提供するのに十分な量、内側層材料とのインタフェースのところに優先的に存在できることを条件とする。これら実施形態では、材料の配合物それ自体も又、ユーザが筆記用媒体リザーバ内の筆記用媒体のレベルをリザーバの外部から目で見て観察できるほど十分半透明であることが必要である。
【００３５】
適合化中間層に代わる手段として、外側層材料の内面又は内側層材料の外面（又はこれら両方）を処理して十分な適合性が得られるよう内側層と外側層のインタフェースのところのその表面又は両方の表面）を改質する（例えば、化学的に又は機械的に）ことが挙げられる。この処理は有利には、材料を追加すること、材料を除去すること、材料の物理的配置を変えること又は特に内側層と外側層のインタフェースのところの材料の化学的性質を変更することが挙げられる。例えば、表面を処理する方法としては、反応性湿式化学法（例えば、溶液化学）を用いて表面を機能化して内側層材料と外側層材料を十分に適合性があるようにする機能化層を形成すること、反応性非湿式化学法（例えば、高エネルギ放射線、例えばＵＶ光、マイクロ波、ガンマ線又はｘ線反応性ガスプラズマ、例えば窒素、酸素又はハロゲンガス、希（貴）ガスプラズマ、例えばアルゴン、例えば電子又はベータ粒子による亜原子粒子衝突）を利用して表面を機能化して内側層材料と外側層材料を十分に適合性があるようにする機能化層を形成すること、例えば、表面から材料の一部を例えばレーザを用いて溶発させ又は違ったやり方で除去することにより、材料を表面のところで再分配して密な接触を得るのに（例えば、ファンデルワールス相互作用による）利用できる表面積が内側層材料と外側層材料を十分に適合性があるようにするのに十分であるようにすることにより、表面のうち少なくとも一方（及び好ましくは両方）を表面を一様にすると共に（或いは）内側層材料と外側層材料を十分に適合性があるようにする程度まで密な接触を得るのに（例えば、ファンデルワールス相互作用により）利用できる表面積を増大させるのに十分な量、十分な濡れを生じさせる液体（例えば、粘稠液体）を導入することにより、１以上の処理及び（又は）作製パラメータを調節することにより又はこれらの組合せを行なうことにより表面を化学的、物理的又は機械的に平らにすることが挙げられ、かかるパラメータとしては、処理速度、処理温度及び（又は）温度勾配、処理滞留時間、製作ダイプロフィール、処理添加剤、少なくとも部分的に二次加工された部分の冷却速度、二次加工後処理等（例えば、一般に、本発明の多層部品を形成するために用いられる処理方法、例えば押出し成形法、同時押出し成形法、射出成形法等で最適化される任意のパラメータ）及びこれらの組合せ等が挙げられるが、これらには限定されない。好ましくは、外側層材料の内面及び（又は）内側層材料の外面の処理によっては、内側層材料、外側層材料又は好ましくはこれら両方の材料の半透明性は実質的に低下しない。
【００３６】
大抵の場合、筆記用媒体に対する湿潤性防止表面を提供する材料は一般に、ユーザがかかる材料を通して筆記用媒体のレベルを外部から目で見て観察できるほど十分には半透明ではない。好ましくは、内側層材料の厚さは少なくとも、筆記用媒体リザーバの内面が筆記用媒体と接触したときに表面の抗濡れ性を提供するに足るほどのものである。しかしながら、筆記用媒体に対して抗濡れ性であり、十分に半透明である材料が本発明の筆記用媒体リザーバの内面を構成する材料として想定されているが、通常は抗濡れ性材料を比較的非常に薄く作ることによってのみ、これら材料を、ユーザがかかる抗濡れ性材料を通して筆記用媒体のレベルを外部から目で見て観察できるのに十分半透明にすることができる。加うるに、抗濡れ性材料は通常、実質的に明確な排出能力を示さない従来型の透明材料よりも高価なので、比較的非常に薄い内側層材料を用いると、筆記用媒体リザーバ全体を抗濡れ性材料から形成する場合と比較して相当なコスト上の利点をもたらすことができる。好ましい変形実施形態では、内側層材料の厚さは、少なくとも約１０ミクロン、少なくとも約５０ミクロン、少なくとも約１００ミクロン又は少なくとも約２５０ミクロンであるのがよい。別の実施形態では、内側層材料の厚さは、約３ｍｍ以下、好ましくは約２ｍｍ以下、変形例として約１ｍｍ以下、例えば約７００ミクロン以下である。
【００３７】
外側層材料は、任意的に十分な半透明性を備えることに加えて、筆記用媒体リザーバ全体の重量を支持するのに足るほど厚く且つ剛性であれば有利である。任意的に、特に筆記用媒体リザーバの形態では、外側層も又、本発明の通常の使用条件下において実質的に不撓性であるほど厚い。外側層材料の構造的安定性についての例示の１つの理由は、本発明の筆記用媒体リザーバでは或る程度の剛性が一般に望ましいということである。それにもかかわらず、内側層材料（任意的に及びもし存在していれば中間適合化層材料）は一般に、筆記用媒体リザーバにもしあったとしても取るに足りないほどの構造的支持作用を与える厚さ（該当する場合には組合せ厚さ）、分子量及び（又は）化学的組成のものである。かくして、外側層は代表的には、内側層を実質的に支持するのに十分な構造的安定性をもたらすべきである。
【００３８】
外側層材料の構造的安定性は、多種多様な仕方で定量化できる。例えば、剛性材料を柔軟な材料から区別するのに、例えばＡＳＴＭ  Ｄ６３８／Ｄ４１２、Ｄ７９０、Ｄ６３８／Ｄ４１２及びＤ６３８／Ｄ４１２によってそれぞれ測定される引張弾性率、曲げ弾性率、引張強度及び（又は）破断時歪（例えば、伸び率パーセント）を利用できる場合がある。一実施形態では、外側層材料は、少なくとも約１４００ｐｓｉ、変形例として少なくとも約３５００ｐｓｉ又は少なくとも約５０００ｐｓｉの引張弾性率を示すのがよい。別の実施形態では、外側層材料は、少なくとも約１×１０５ｐｓｉ、変形例として少なくとも約３×１０５ｐｓｉ又は少なくとも約５×１０５ｐｓｉの曲げ弾性率を示すのがよい。さらに別の実施形態では、外側層材料は、少なくとも約２０００ｐｓｉ、変形例として少なくとも約４５００ｐｓｉ又は少なくとも約７０００ｐｓｉの引張強度を示すのがよい。さらに別の実施形態では、外側層材料は、約１００％以下、変形例として約４０％以下又は約１０％以下の伸び率パーセントを示すのがよい。
【００３９】
好ましい実施形態では、実質的に明確な排出能力の筆記用媒体リザーバは、内側層材料と外側層材料を同時押出し成形することにより形成できる。内側及び（又は）外側層材料は、個々に及び組み合わされた場合、ユーザが筆記用媒体リザーバ内の筆記用媒体のレベルをリザーバの外部から目で見て容易に観察できるほど十分半透明であるのがよい。この実施形態では、内側層材料（即ち、筆記用媒体に接触する筆記用媒体リザーバの表面）は、リザーバ内に入っている筆記用媒体に対し十分な抗濡れ性を有するべきであり、したがって、筆記用媒体を用いているとき、筆記用媒体を用いる前に筆記用媒体が内側層材料に先に接触していた筆記用媒体リザーバの内面に付着する残留物（例えば、被膜又は部分被膜の形態をしている）として残る筆記用媒体は実質的に無いようになっている（例えば、筆記用媒体リザーバは、実質的に明確な排出能力を示す）。
【００４０】
別の実施形態では、筆記用媒体リザーバ並びにこれを収容した筆記具の明確な排出能力を、筆記用媒体リザーバの境界部を構成する材料の下又はその中に設けられる内側層材料を導入することにより増大させることができ、かかる材料は、有利には、個々に及び組み合わされた状態では、ユーザが筆記用媒体リザーバ内の筆記用媒体のレベルを外部から目で見て観察できるほど十分半透明であるのがよい。有利には、内側層材料を筆記用媒体リザーバの境界部を構成する外側層と同時押出し成形することにより導入できる。一実施形態では、内側及び外側層材料の適合性が問題である場合、筆記用媒体リザーバは、内側層材料と外側層材料の間における中間又は適合化層の同時押出し成形により形成できる。変形例として又は追加例として、筆記用媒体リザーバの境界部を構成する材料の内面を結果的に内側層材料との十分な適合性が得られるよう処理してもよい。
【００４１】
本発明の別の特徴では、多層管状構造体（単純化のために「多層管」というが、本発明を限定する意図はない）を上述したように少なくともポリマー材料の内側層及びポリマー材料の外側層から形成することができる。本発明の多層管は、単に筆記用媒体だけでなく多くの液体（例えば、粘度が高いにせよ低いにせよ中程度であるにせよ任意の粘度範囲にわたり）、例えば有機溶剤、水、水溶液、有機溶液、液体化学薬品又は化学薬品混合物等のどれでも保持し又は運ぶために使用できる。一実施形態では、液体は、例えば米国特許第６，５０３，９６５号及び同第６，４２５，９４８号並びに米国特許出願第０９／６４５，２８４号明細書及び同第０９／９００，９１４号明細書に開示されているようなインクを含む場合があり、これら特許文献の開示内容全体を参照によりここに引用する。別の実施形態では、液体は、生物学的物質（例えば、溶液の状態）を含んでもよく、又は生体内生物学的環境（例えば、血液、血漿、塩水等）内で使用してもよい。上述したように、内側層材料と外側層材料は、本発明の多層管では共に、好ましくは多層管内に入っている液体を外部から目で見て観察できるほど十分半透明である。また、上述したように、内側層材料は好ましくは、この中に入れられている液体に対して十分な抗濡れ性を有し、したがって液体がこれを通過すると、液体が管の内面に先に接触していた管の内面に被着する被膜又は部分被膜として残る液体は実質的に生じないようになる。
【００４２】
好ましい実施形態では、内側層材料は、実質的に、内側層中への及び（又は）内側層を通る接触液体の拡散、収着及び（又は）透過に対するバリヤとして働く。別の実施形態では、内側層ポリマー材料としては、少なくとも部分的にハロゲン化されたモノマー繰返し単位を含むポリマー又はコポリマー、例えば実質的にハロゲン化されたポリマー繰返し単位を含むポリマー又はコポリマー、変形例として本質的に少なくとも部分的にハロゲン化されたモノマー繰返し単位を含むポリマー又はコポリマー、例えば本質的に実質的にハロゲン化されたモノマー繰返し単位を含むポリマー又はコポリマーが挙げられるが、これらには限定されない。別の実施形態では、ハロゲンは、弗素である。
【００４３】
本発明の多層管の外側層材料は、本発明の筆記用媒体リザーバの場合と同様比較的剛性であるのがよい。外側層材料が剛性であるという例示としての１つの理由は、一般に、或る程度の構造的安定性が本発明の多層管に望ましいということにある。変形例として、筆記用媒体リザーバに関する上述の説明にもかかわらず、多層管の外側層材料は、内側層材料と外側層材料が好ましくは、互いに十分な適合性を示し又は好ましくはこれら層相互間のインタフェースのところで互いに好ましくは実質的に固定されると共に任意的に互いにくっ付けられ、しかも好ましくは多層管の半透明性を維持するような仕方で又は方法で形成される限り、比較的柔軟であってもよい。この適合性は、性質上、化学的又は機械的であってよく、好ましくは、必要な適合性のレベルは、ユーザによる多層管又は多層管の入った器具の通常の取扱い及び通常の用い方では、半透明性、実質的に明確な排出能力及び多層管の別の通常の機能には実質的に影響が及ぼされないようなものであることが必要であるに過ぎない。
【００４４】
例えば、生物医学的用途では、本発明の多層管の外側層材料は一般に、通常の使用条件下においては操作可能であって且つ機械的に安定性があるほど十分弾性であり、剛性であると共に厚いものであるのがよいが、通常の使用中、撓みを阻止するほど剛性ではないものであるのがよい。内側層材料（任意的に、及び存在していれば中間適合化層材料）は一般に（必ずしもそうでないが）、本発明の多層管にもしあったとしても取るに足りないほどの構造的支持作用を与える厚さ（該当する場合には組合せ厚さ）、分子量及び（又は）化学的組成のものである。
【００４５】
実施例
次の実施例を参照して本発明の例示の実施形態を説明するが、これら実施例は、本発明を例示するために記載されているが、本発明の範囲を限定するものではない。
実施例１：本発明の多層筆記用媒体リザーバ、取外し可能な筆記具カートリッジ及び筆記具
実施例１の筆記用媒体リザーバは、TEFLON FEPの内側層及びTROGAMID CXの外側層で作られた中空筒体であった。図１に示すように、筆記用媒体リザーバの断面の外径は、約３．１５ｍｍ、その内径は約１．９２ｍｍであった。外側層の厚さは約１２０ミクロンであり、内側層の厚さは約４１０ミクロンであった。
【００４６】
加うるに、実施例１の筆記用媒体リザーバは、その自重下において実質的に不撓性であり、光透過率は、ＡＳＴＭ  Ｄ１００３に従って測定して約９０％であった。
【００４７】
実施例１の筆記用媒体リザーバを約８０℃〜約１５０℃で内側層材料と外側層材料を同時押出し成形することにより形成した。この作業を従来型同時押出し機で行った。
【００４８】
実施例１の筆記用媒体リザーバには、ペン先、ペン先支持体及びフロントノーズコーンを含む筆記用先端部を付け加えて筆記用媒体リザーバと筆記用先端部が一体になるようにした。加うるに、コネチカット州ミルフォード所在のビック・コーポレイションから市販されているVELOCITY（登録商標）ペンで用いられた従来型溶剤型インクに類似した筆記用媒体を筆記用媒体リザーバ内へ入れた。用いた特定の筆記用先端部は、上述のVELOCITY（登録商標）ペンに用いられた従来型ペン先に類似していた。かくして、実施例１の筆記用媒体リザーバを収容した本発明の取外し可能な筆記具カートリッジを製造した。
【００４９】
取外し可能な筆記具カートリッジには、上述のVELOCITY（登録商標）ペンで用いられたものとほぼ同じ軸及び任意的に端栓を付け加えた。かくして、実施例１の筆記用媒体リザーバを収容した取外し可能な筆記具カートリッジを本体を含む本発明の筆記具を製造した。
【００５０】
実施例２：本発明の筆記用媒体リザーバの同時押出し成形方法
内側層材料と外側層材料、この場合（実施例１の場合と同様）、それぞれTEFLON FEP及びTROGAMID CXを約８０℃〜約１５０℃の温度で同時押出し成形することにより本発明の筆記用媒体リザーバを形成した。この作業を従来型同時押出し成形機で行なった。
【００５１】
本発明を或る特定の好ましい実施形態及び図面を参照して説明したが、当業者であれば、特許請求の範囲に記載された本発明の精神及び範囲から逸脱することなくかかる実施形態の改造例及び変形例を想到できることは明らかである。特に、本発明は、その精神及び本質的特徴から逸脱することなく他の特定の形態、構造、配置、比率及び他の要素、材料及び部品を追加して実施できることは当業者には明らかであろう。当業者であれば、本発明は、本発明の実施に用いられ、本発明の原理から逸脱することなく特定の環境及び動作上の条件に特に適合した構造、配置、比率、材料及び部品その他の多くの改造を施して使用できることは理解されよう。したがって、本願において開示した実施形態は、あらゆる点で例示として考えられるべきであって、本発明を制限するものではなく、本発明の範囲は、上述の説明には限定されず、特許請求の範囲の記載に基づいて定められる。
【図面の簡単な説明】
【００５２】
【図１】筆記用媒体リザーバの断面図である。
【図１】
2006519718.tif 000003
【国際調査報告】
2006519718.tif 000004